【手続補正書】
【提出日】平成20年3月14日(2008.3.14)
【手続補正１】
【補正対象書類名】明細書
【補正対象項目名】発明の名称
【補正方法】変更
【補正の内容】
【発明の名称】情報信号処理装置および情報信号処理方法
【手続補正２】
【補正対象書類名】明細書
【補正対象項目名】特許請求の範囲
【補正方法】変更
【補正の内容】
【特許請求の範囲】
【請求項１】
情報信号を取得する情報信号取得手段と、
上記情報信号取得手段で取得された情報信号を一時的に記憶する記憶手段と、
上記記憶手段に対する上記情報信号の書き込みおよび読み出しを制御する制御手段と、
上記情報信号取得手段で取得された情報信号および／または上記記憶手段より読み出された情報信号を出力する情報信号出力手段と、
上記情報信号を出力することに対する一時停止及びその一時停止の解除を指示する指示信号が入力される指示信号入力手段と、
を備え、
上記制御手段は、上記情報信号取得手段で取得された情報信号が出力されている状態において、上記指示信号入力手段に一時停止を指示する指示信号が入力されるとき、上記記憶手段に上記情報信号を書き込むことを開始し、上記指示信号入力手段に一時停止の解除を指示する指示信号が入力されるとき、上記記憶手段から上記情報信号を読み出すことを開始し、読み出された情報信号を上記情報信号出力手段により出力するように制御する情報信号処理装置。
【請求項２】
上記情報信号取得手段は、
放送信号を受信する受信部と、
上記受信部で受信された放送信号を処理して上記情報信号を得る信号処理部とを有する
請求項１に記載の情報信号処理装置。
【請求項３】
上記情報信号取得手段は、
記録媒体を再生して再生信号を得る再生部と、上記再生部で得られた再生信号を処理して上記情報信号を得る信号処理部とを有する
請求項１に記載の情報信号処理装置。
【請求項４】
上記制御手段は、
上記情報信号取得手段で上記情報信号を取得することが開始される第１の時点で、上記記憶手段に上記情報信号を書き込むことを開始し、上記第１の時点より所定時間が経過した第２の時点で、上記記憶手段から上記情報信号を読み出すことを開始するように制御する
請求項１に記載の情報信号処理装置。
【請求項５】
上記情報信号出力手段は、
上記指示信号入力手段に一時停止の解除を指示する指示信号が入力されるとき、上記記憶手段から読み出された情報信号を子画面信号とすると共に、上記情報信号取得手段で取得された情報信号を親画面信号として、これらの情報信号を合成して出力する
請求項１に記載の情報信号処理装置。
【請求項６】
上記制御手段は、上記子画面信号を得るために、
上記記憶手段に上記情報信号取得手段で取得された情報信号をラインの間引きを行って書き込むと共に、該記憶手段から書き込み時より高い周波数のクロック信号を用いて情報信号を読み出すように制御する
請求項５に記載の情報信号処理装置。
【請求項７】
情報信号を処理する情報処理装置の情報処理方法であって、
上記情報信号を取得する情報信号取得ステップと、
上記情報信号取得ステップで取得された上記情報信号を出力する情報信号出力ステップと、
上記情報信号が出力されている状態において、上記情報信号の出力の一時停止を指示する指示信号が入力されるとき、上記情報信号を記憶手段に書き込むことを開始し、上記情報信号の出力の一時停止の解除を指示する指示信号が入力されるとき、上記情報信号を上記記憶手段から読み出すことを開始し、当該読み出された情報信号を出力するように制御する制御ステップと
を有する情報信号処理方法。
【手続補正３】
【補正対象書類名】明細書
【補正対象項目名】０００８
【補正方法】変更
【補正の内容】
【０００８】
【課題を解決するための手段】
この発明に係る情報処理装置は、情報信号を取得する情報信号取得手段と、情報信号取得手段で取得された情報信号を一時的に記憶する記憶手段と、記憶手段に対する情報信号の書き込みおよび読み出しを制御する制御手段と、情報信号取得手段で取得された情報信号および／または記憶手段より読み出された情報信号を出力する情報信号出力手段と、情報信号を出力することに対する一時停止及びその一時停止の解除を指示する指示信号が入力される指示信号入力手段と、を備え、制御手段は、情報信号取得手段で取得された情報信号が出力されている状態において、指示信号入力手段に一時停止を指示する指示信号が入力されるとき、記憶手段に情報信号を書き込むことを開始し、指示信号入力手段に一時停止の解除を指示する指示信号が入力されるとき、記憶手段から情報信号を読み出すことを開始し、読み出された情報信号を情報信号出力手段により出力するように制御するものである。
また、この発明に係る情報処理方法は、情報信号を処理する情報処理装置の情報処理方法であって、情報信号を取得する情報信号取得ステップと、情報信号取得ステップで取得された情報信号を出力する情報信号出力ステップと、情報信号が出力されている状態において、情報信号の出力の一時停止を指示する指示信号が入力されるとき、情報信号を記憶手段に書き込むことを開始し、情報信号の出力の一時停止の解除を指示する指示信号が入力されるとき、情報信号を記憶手段から読み出すことを開始し、読み出された情報信号を出力するように制御する制御ステップとを有するものである。
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】削除
【補正の内容】
【手続補正１５】
【補正対象書類名】明細書
【補正対象項目名】００２５
【補正方法】削除
【補正の内容】
【手続補正１６】
【補正対象書類名】明細書
【補正対象項目名】００２６
【補正方法】削除
【補正の内容】
【手続補正１７】
【補正対象書類名】明細書
【補正対象項目名】００２７
【補正方法】削除
【補正の内容】
【手続補正１８】
【補正対象書類名】明細書
【補正対象項目名】００２８
【補正方法】削除
【補正の内容】
【手続補正１９】
【補正対象書類名】明細書
【補正対象項目名】００２９
【補正方法】削除
【補正の内容】
【手続補正２０】
【補正対象書類名】明細書
【補正対象項目名】００３０
【補正方法】削除
【補正の内容】
【手続補正２１】
【補正対象書類名】明細書
【補正対象項目名】００３１
【補正方法】削除
【補正の内容】
【手続補正２２】
【補正対象書類名】明細書
【補正対象項目名】００３２
【補正方法】削除
【補正の内容】